(57)【要約】【課題】部屋空間の静粛性を確保でき、快適な居住環境を形成することが可能な建物の吸音構造を提供することを目的とする。【解決手段】主出入口１に対向し、かつ該主出入口１から所定間隔離間して吸音手段２が配置されており、これら主出入口１と吸音手段２との間が吸音スペース３とされており、この吸音スペース３は、この吸音スペース３の両側部のうちの少なくとも一方側に形成される開口部１１ａ，１２ａを備え、この開口部１１ａ，１２ａは、吸音スペース３と、該吸音スペース３に隣接配置される部屋空間１０とを連通する部屋出入口１１ａ，１２ａとされていることを特徴とする建物の吸音構造。これにより、主出入口からの騒音は、吸音手段によって吸音されるとともに吸音スペース内で反響しにくくなり、さらに、部屋空間に向かって進む人に対して聞こえにくくなる。【選択図】図１
2010265616.tif 000002
【特許請求の範囲】
【請求項１】
主出入口に対向し、かつ該主出入口から所定間隔離間して吸音手段が配置されており、
これら主出入口と吸音手段との間が平面視略四角形状の吸音スペースとされており、
この吸音スペースは、この吸音スペースの両側部のうちの少なくとも一方側に形成される開口部を備えており、
この開口部は、前記吸音スペースと、該吸音スペースに隣接配置される部屋空間とを連通する部屋出入口とされていることを特徴とする建物の吸音構造。
【請求項２】
請求項１に記載の建物の吸音構造において、
前記吸音スペースの床と天井とのうち、少なくとも一方に吸音手段が設けられていることを特徴とする建物の吸音構造。
【請求項３】
請求項１または２に記載の建物の吸音構造において、
前記部屋空間は、一方の前記部屋出入口側に配置される第１部屋と、この第１部屋に隣接配置されるとともに、他方の前記部屋出入口側に配置される第２部屋とを備えており、
これら第１部屋と第２部屋とは間仕切壁によって仕切られており、
この間仕切壁には、前記第１部屋と第２部屋とを連通する開口部が形成されていることを特徴とする建物の吸音構造。
【請求項４】
請求項３に記載の建物の吸音構造において、
前記部屋空間は、前記第１部屋に隣接配置されるとともに、前記一方の部屋出入口と対向する部屋出入口を有する第３部屋を備えており、
この第３部屋と前記第１部屋とは間仕切壁によって仕切られており、
この間仕切壁には、前記第１部屋と第３部屋とを連通する開口部が形成されていることを特徴とする建物の吸音構造。
【請求項５】
請求項４に記載の建物の吸音構造において、
前記間仕切壁を含む前記第１部屋を形成する壁のうち、互いに対向する壁の少なくとも一方の壁の部屋側壁面に吸音手段が設けられていることを特徴とする建物の吸音構造。
【請求項６】
請求項１〜５のいずれか一項に記載の建物の吸音構造において、
前記主出入口は、前記部屋空間とは異なる他の部屋や廊下等の屋内空間に臨んで配置されていることを特徴とする建物の吸音構造。
【請求項７】
請求項１〜５のいずれか一項に記載の建物の吸音構造において、
前記主出入口は、屋外に臨んで配置されていることを特徴とする建物の吸音構造。
【発明の詳細な説明】
【技術分野】
【０００１】
本発明は、吸音スペースを有する建物の吸音構造に関する。
【背景技術】
【０００２】
従来、住宅等の建物においては、子供が飛び跳ねたり、物を落下させたりした場合に発生する衝撃音を、床または天井等の振動を制振装置等によって制振するなどして抑制し、上下階方向の騒音を防止することが行われていた。
一方、部屋の出入口の外部から部屋内に向かって騒音が発せられる場合は、出入口に、特許文献１に記載のように高い防音性能を有するドアを取り付けるなどして騒音を防止することが行われていた。
【先行技術文献】
【特許文献】
【０００３】
【特許文献１】特開２００２−０８９１４２号公報
【発明の概要】
【発明が解決しようとする課題】
【０００４】
ところが、防音ドアによる防音だけでは、ドアを開放している場合や、出入口にドアを取り付けない要望があった場合に対応することができないという問題がある。
そこで、このような防音ドアを出入口に設けなくても、出入口の外部からの騒音を確実に抑えることができる技術の開発が望まれていた。
【０００５】
本発明の課題は、部屋空間の静粛性を確保でき、快適な居住環境を形成することが可能な建物の吸音構造を提供することを目的とする。
【課題を解決するための手段】
【０００６】
請求項１に記載の発明は、例えば図１〜図４に示すように、主出入口１に対向し、かつ該主出入口１から所定間隔離間して吸音手段２が配置されており、
これら主出入口１と吸音手段２との間が平面視略四角形状の吸音スペース３とされており、
この吸音スペース３は、この吸音スペースの両側部のうちの少なくとも一方側に形成される開口部１１ａ，１２ａを備えており、
この開口部１１ａ，１２ａは、前記吸音スペース３と、該吸音スペース３に隣接配置される部屋空間１０とを連通する部屋出入口１１ａ，１２ａとされていることを特徴とする。
【０００７】
請求項１に記載の発明によれば、主出入口１に対向し、かつ該主出入口１から所定間隔離間して吸音手段２が配置されており、これら主出入口１と吸音手段２との間が平面視略四角形状の吸音スペース３とされているので、前記主出入口１から吸音スペース３へと入ってくる騒音は、まず、前記主出入口１に対向する前記吸音手段２によって吸音されることになる。
そして、前記吸音スペース３は、この吸音スペースの両側部のうちの少なくとも一方側に形成される開口部１１ａ，１２ａを備えており、この開口部１１ａ，１２ａは、前記吸音スペース３と、該吸音スペース３に隣接配置される部屋空間１０とを連通する部屋出入口１１ａ，１２ａとされていることから、前記吸音スペース３内に入ってくる騒音は、前記吸音スペース３から、より開けた空間である部屋空間１０へと到達することになるので、前記吸音スペース３内で反響しにくくなり、前記吸音スペース３内に入ってくる騒音は確実に弱められることになる。
また、人が前記主出入口１から吸音スペース３を通過して前記部屋空間１０へと進む際は、前記主出入口１に入り、吸音スペース３内で直角に曲がってから部屋空間１０へと進むことになる。したがって、前記部屋空間１０に向かって進む人に対して、前記主出入口１の外部からの騒音が聞こえにくくなる。
これによって、例えば前記主出入口１に防音性能を有するドア等を設けなくても、前記主出入口１からの騒音を確実に抑えることができるので、前記部屋空間１０の静粛性を確保でき、快適な居住環境を形成することが可能となる。
【０００８】
請求項２に記載の発明は、例えば図２に示すように、請求項１に記載の建物の吸音構造において、
前記吸音スペース３の床３ａと天井３ｂとのうち、少なくとも一方に吸音手段４，５が設けられていることを特徴とする。
【０００９】
請求項２に記載の発明によれば、前記吸音スペース３の床３ａと天井３ｂとのうち、少なくとも一方に吸音手段４，５が設けられているので、前記吸音スペース３内に入ってくる騒音は、前記吸音手段２とともに前記吸音手段４，５によって吸音されることになる。
【００１０】
請求項３に記載の発明は、例えば図４に示すように、請求項１または２に記載の建物の吸音構造において、
前記部屋空間１０は、一方の前記部屋出入口１１ａ側に配置される第１部屋１１と、この第１部屋１１に隣接配置されるとともに、他方の前記部屋出入口１２ａ側に配置される第２部屋１２とを備えており、
これら第１部屋１１と第２部屋１２とは間仕切壁１４によって仕切られており、
この間仕切壁１４には、前記第１部屋１１と第２部屋１２とを連通する開口部１４ａが形成されていることを特徴とする。
【００１１】
請求項３に記載の発明によれば、前記部屋空間１０は、一方の前記部屋出入口１１ａ側に配置される第１部屋１１と、この第１部屋１１に隣接配置されるとともに、他方の前記部屋出入口１２ａ側に配置される第２部屋１２とを備えていることから、前記吸音スペース３内に入ってくる騒音は、前記吸音スペース３から、より開けた空間である第１部屋１１および第２部屋１２へと到達することになるので、前記吸音スペース３内で、より反響しにくくなり、前記吸音スペース３内に入ってくる騒音は、より確実に弱められることになる。
さらに、前記間仕切壁１４には、前記第１部屋１１と第２部屋１２とを連通する開口部１４ａが形成されていることから、この開口部１４ａを通じて、前記第１部屋１１に到達する低音域の音を前記第２部屋１２へと逃がすことができるので、特に前記第１部屋１１における低音域の騒音を軽減することができる。すなわち、低音域の音は、中高音域の音に比して波長が長く、障害物の裏側に回りこむ性質を備えており、中高音域の音に比べて、前記主出入口１から前記第１部屋１１へと回りこみやすくなっているため、前記間仕切壁１４には、前記第１部屋１１と第２部屋１２とを連通する開口部１４ａが形成されていることで、これを確実に防ぐことができる。
また、前記開口部１４ａによって、前記第１部屋１１と第２部屋１２との間で空気を流通させることができるので、前記部屋空間１０内における通気性を向上させることができる。
【００１２】
請求項４に記載の発明は、例えば図４に示すように、請求項３に記載の建物の吸音構造において、
前記部屋空間１０は、前記第１部屋１１に隣接配置されるとともに、前記一方の部屋出入口１１ａと対向する部屋出入口１３ａを有する第３部屋１３を備えており、
この第３部屋１３と前記第１部屋１１とは間仕切壁１５によって仕切られており、
この間仕切壁１５には、前記第１部屋１１と第３部屋１３とを連通する開口部１５ａが形成されていることを特徴とする。
【００１３】
請求項４に記載の発明によれば、前記部屋空間１０は、前記第１部屋１１に隣接配置されるとともに、前記一方の部屋出入口１１ａと対向する部屋出入口１３ａを有する第３部屋１３を備えていることから、前記部屋出入口１１ａから入ってくる騒音は、前記第１部屋１１の空間を介して前記部屋出入口１３ａへと到達することになるので、前記部屋出入口１１ａから入ってくる騒音は、前記第１部屋１１側と第３部屋１３側へと分散し、さらに確実に弱められることになる。
さらに、前記間仕切壁１５には、前記第１部屋１１と第２部屋１３とを連通する開口部１５ａが形成されていることから、この開口部１５ａを通じて、前記第１部屋１１に到達する低音域の音を前記第３部屋１３へと逃がすことができるので、特に前記第１部屋１１における低音域の騒音を、より軽減することができる。
また、前記開口部１５ａによって、前記第１部屋１１と第３部屋１３との間で空気を流通させることができるので、前記部屋空間１０内における通気性を、より向上させることができる。
【００１４】
請求項５に記載の発明は、例えば図４に示すように、請求項４に記載の建物の吸音構造において、
前記間仕切壁１４，１５を含む前記第１部屋１１を形成する壁のうち、互いに対向する壁の少なくとも一方の壁の部屋側壁面に吸音手段６が設けられていることを特徴とする。
【００１５】
請求項５に記載の発明によれば、前記間仕切壁１４，１５を含む前記第１部屋１１を形成する壁のうち、互いに対向する壁の少なくとも一方の壁の部屋側壁面に吸音手段６が設けられているので、前記第１部屋１１内に入ってくる騒音は、前記吸音手段６によって吸音されるとともに、前記第１部屋１１内で反響しにくくなる。
【００１６】
請求項６に記載の発明は、例えば図１，図３，図４に示すように、請求項１〜５のいずれか一項に記載の建物の吸音構造において、
前記主出入口１は、前記部屋空間１０とは異なる他の部屋や廊下２０等の屋内空間に臨んで配置されていることを特徴とする。
【００１７】
請求項６に記載の発明によれば、前記主出入口１は、前記部屋空間１０とは異なる他の部屋や廊下２０等の屋内空間に臨んで配置されているので、前記部屋空間１０とは異なる他の部屋や廊下２０等の屋内空間で発生する騒音を、前記吸音スペース３で確実に吸音することができ、前記部屋空間１０の静粛性を確保することができる。すなわち、前記吸音スペース３は、例えば隣り合う部屋と部屋との間や、部屋と廊下２０との間などに設けられる緩衝帯となるように構成される。
【００１８】
請求項７に記載の発明は、例えば図１および図３に示すように、請求項１〜５のいずれか一項に記載の建物の吸音構造において、前記主出入口１は、屋外に臨んで配置されていることを特徴とする。
【００１９】
請求項７に記載の発明によれば、前記主出入口１は、屋外に臨んで配置されているので、屋外で発生する騒音を、前記吸音スペース３で確実に吸音することができ、前記部屋空間１０の静粛性を確保することができる。すなわち、前記主出入口１は、例えば玄関出入口等の屋外に面する出入口であり、前記吸音スペース３は玄関等となるように構成されることになる。
【発明の効果】
【００２０】
本発明によれば、主出入口に対向し、かつ該主出入口から所定間隔離間して吸音手段が配置されており、さらに、これら主出入口と吸音手段との間が吸音スペースとされているので、主出入口から吸音スペースへと入ってくる騒音は、まず、主出入口に対向する吸音手段によって吸音されることになる。
そして、吸音スペースは、この吸音スペースの両側部のうちの少なくとも一方側に形成される開口部を備えており、この開口部は、吸音スペースと、該吸音スペースに隣接配置される部屋空間とを連通する部屋出入口とされていることから、吸音スペース内に入ってくる騒音は、吸音スペースから、より開けた空間である部屋空間へと到達することになるので、吸音スペース内で反響しにくくなり、吸音スペース内に入ってくる騒音は確実に弱められることになる。
また、人が主出入口から吸音スペースを通過して部屋空間へと進む際は、主出入口に入り、吸音スペース内で直角に曲がってから部屋空間へと進むことになる。したがって、部屋空間に向かって進む人に対して、主出入口の外部からの騒音が聞こえにくくなる。
これによって、例えば主出入口に防音性能を有するドア等を設けなくても、主出入口からの騒音を確実に抑えることができるので、部屋空間の静粛性を確保でき、快適な居住環境を形成することが可能となる。
【図面の簡単な説明】
【００２１】
【図１】本発明の建物の吸音構造を示す概略平面図である。
【図２】同、概略断面図である。
【図３】同、概略斜視図である。
【図４】本発明の実施の形態に係る建物の所定階を示す平面図である。
【発明を実施するための形態】
【００２２】
以下、図面を参照して本発明の実施の形態について説明する。
図１は本発明に係る建物の吸音構造の一例を示す概略平面図である。
図１において符号１は主出入口を示しており、符号２は吸音手段を示しており、符号３は吸音スペースを示している。
前記吸音手段２は、前記主出入口１に対向し、かつ所定間隔離間して配置されており、さらに、これら主出入口１と吸音手段２との間が平面視略四角形状の吸音スペース３とされている。
また、この吸音スペース３は、部屋空間１０に隣接して配置されている。
また、この吸音スペース３は、図１（ａ）〜図３に示すように、この吸音スペースの両側部の双方に形成される開口部１１ａ，１２ａを備えている。そして、これら開口部１１ａ，１２ａは、前記吸音スペース３と前記部屋空間１０とを連通する部屋出入口１１ａ，１２ａとされている。
【００２３】
なお、本実施の形態において、前記開口部１１ａ，１２ａは、前記吸音スペースの両側部の双方に形成されるものとしたが、図１（ｂ）に示すように、前記吸音スペースの両側部のうちの一方側に形成されるものとしてもよい。
【００２４】
続いて、本実施の形態の建物の吸音構造における各部の構成について説明する。
前記吸音スペース３は、図１（ａ）に示すように、平面視において略四角形状に形成されている。略四角形状に形成されたスペースの一辺側に前記主出入口１が設けられており、この主出入口１が設けられた位置と対向する一辺側に前記吸音手段３が設けられている。また、図１（ａ）〜図３に示すように、これら主出入口１および吸音手段３が設けられた互いに対向する二辺とは異なる他の二辺に、前記開口部１１ａ，１２ａがそれぞれ設けられている。
すなわち、前記吸音スペース３は、前記主出入口１と吸音手段３と開口部１１ａ，１２ａとによって四方を囲まれた状態となっている。
【００２５】
また、この吸音スペース３には、図２に示すように、床３ａと天井３ｂとのうち、少なくとも一方に吸音手段４，５が設けられている。
本実施の形態においては、床３ａと天井３ｂとの双方に吸音手段４，５がそれぞれ設けられているものとする。
【００２６】
さらに、本実施の形態の吸音スペース３は、図１（ａ）および図３に示すように、前記部屋空間１０を形成する壁の内側に配置されて、この部屋空間１０の一部として設けられるように構成されている。
ただし、これに限られるものではなく、前記部屋空間１０を形成する壁の外部に配置して、前記部屋空間１０の一部として設けられないように構成してもよいものとする。
【００２７】
前記主出入口１は、前記部屋空間１０を形成する壁に形成された開口部分を指しており、この開口部分には、図示はしないが、この開口部分を開閉する扉を設けてもよいものとする。
また、前記吸音スペース３を、上述のように前記部屋空間１０を形成する壁の外部に配置して、前記部屋空間１０の一部として設けられないように構成する場合は、図示はしないが、前記主出入口１は、前記部屋空間１０を形成する壁に形成されたものではなく、前記吸音スペース３を形成する壁に形成されるものである。
【００２８】
また、この主出入口１は、本実施の形態においては前記部屋空間１０とは異なる他の部屋や、後述する廊下２０等の屋内空間に臨んで配置されている。すなわち、この吸音スペース３は、例えば隣り合う部屋と部屋との間や、部屋と廊下２０との間などに設けられる緩衝帯となる。
なお、これに限られず、前記主出入口１は、屋外に臨んで配置されていてもよいものとする。すなわち、この場合の主出入口１は、例えば玄関出入口の屋外に面する出入口となり、前記吸音スペース３は玄関となる。ただし、玄関に限られず、いわゆる裏口や勝手口等でもよい。
【００２９】
前記吸音手段２は、例えば吸音材であり、アルミニウム等の金属繊維，岩石を原料とするロックウール（岩綿）・高炉スラグを原料とするスラグウール（鉱さい綿）・ガラス繊維を原料とするグラスウールなどの無機質繊維，綿や麻などの植物繊維や羽毛や獣毛などの動物繊維等の有機質繊維（以下繊維類と呼ぶ）が使用される。
この繊維類を、綿状・ボード（パネル）状・布状に成形して繊維と繊維の間に複雑に連続した多くの隙間や気泡を有する部材とすることで吸音性能を発揮することができる。
また、ポリウレタンなどの高分子物質を発泡させた発泡樹脂材料（ポリウレタンフォーム）を使用してもよい。
【００３０】
なお、本実施の形態の吸音手段２としては、ポリウレタンフォームを吸音材本体とし、この吸音材本体の表面を張地によって化粧したパネル状の吸音材が用いられている。
吸音材本体として用いるポリウレタンフォームは多孔質体であり、微小な孔部分の空気の摩擦によって音エネルギーを熱エネルギーに変換することで吸音効果を発揮できるようになっている。特に、中高音域の音の吸音性に優れ、厚さを増加することで低音域の音の吸音性も向上できるようになっている。
そして、本実施の形態においては、図１（ａ）および図３に示すように、このようなパネル状の吸音材２が、前記主出入口１に対向して設けられている。すなわち、例えば、前記部屋空間１０の床に吸音材取付用の壁を立設し、この壁面に取り付けるなどして設けられているものとする。
また、このようなパネル状の吸音材２に限られず、例えばカーテン状の吸音材を前記部屋空間１０の天井付近から吊り下げるなどして吸音手段とする方法も一例として挙げることができる。
【００３１】
前記吸音スペース３の床３ａおよび天井３ｂに設けられる吸音手段４，５も、前記吸音手段２と同じく、吸音材が用いられている。
前記床３ａに設けられる吸音材４は、図２に示すように、綿や麻などの植物繊維や羽毛や獣毛などの動物繊維等の有機質繊維によって成形されたカーペットである。したがって、前記吸音スペース３の床３ａだけではなく、この床３ａと連続する床面（例えば部屋空間１０の床面）にわたって敷設されるようにしてもよい。
前記天井３ｂに設けられる吸音材５としては、前記吸音材２と同様にパネル状の吸音材が用いられているものとする。
【００３２】
前記開口部１１ａ，１２ａは、図１（ａ）および図３に示すように、前記主出入口１付近の壁と、前記パネル状の吸音材２の両側縁部との間の部分を指しており、前記吸音スペース３から、前記部屋空間１０に向かって開放された構成となっている。
したがって、前記開口部１１ａ，１２ａの両側縁部は、前記主出入口１が形成される壁の該主出入口１付近の部分と吸音材２の両側縁部とによって規定されることになる。
また、これら開口部１１ａ，１２ａの下縁部は、前記吸音スペース３が配置される場所の床に規定されるものであり、本実施の形態においては、前記部屋空間１０の床である。
また、これら開口部１１ａ，１２ａの上縁部は、前記主出入口１が形成される壁の該主出入口１の周縁付近の部分と、前記吸音材２の上端縁部とによって規定されるものであるか、前記吸音スペース３が配置される場所の天井に規定されるものである。なお、本実施の形態においては、前記部屋空間１０の天井によって規定されているものとする。
すなわち、本実施の形態の開口部１１ａは、前記主出入口１が形成される壁の該主出入口１付近の部分と吸音材２の一側縁部と、前記部屋空間１０の床および天井とによって囲まれた部分を指しており、開口部１２ａは、前記主出入口１が形成される壁の該主出入口１付近の部分と吸音材２の他側縁部と、前記部屋空間１０の床および天井とによって囲まれた部分を指している。
【００３３】
（実施例）
次に、本実施の形態の建物の吸音構造を採用した実施例について説明する。
図４は本発明の実施の形態に係る建物の所定階を示す平面図である。
この建物の所定階には前記吸音スペース３と、前記部屋空間１０とが設けられている。
そして、前記吸音スペース３は、前記主出入口１が、前記所定階の中央に配置された廊下２０に臨む位置に設けられている。すなわち、前記廊下２０の長さ方向の一端部側に前記主出入口１が配置されている。
また、前記部屋空間１０は、前記部屋空間１０は、前記吸音スペース３の部屋出入口１１ａ側に配置される第１部屋１１と、この第１部屋１１に隣接配置されるとともに、前記部屋出入口１２ａ側に配置される第２部屋１２と、前記第１部屋１１に隣接配置されるとともに、前記一方の部屋出入口１１ａと対向する部屋出入口１３ａを有する第３部屋１３を備えている。
【００３４】
前記第１部屋１１は、前記第２部屋１２と第３部屋１３とに挟まれるようにして配置されており、前記吸音スペース３に隣接配置されている。なお、この第１部屋１１は、例えば主寝室として利用されている。
また、本実施例において、前記吸音スペース３は、平面視台形状に形成されており、前記第１部屋１１は、平面視略Ｌ字状に形成されている。そして、略Ｌ字状に形成された第１部屋１１の入隅部分に前記吸音スペース３が配置されており、これら吸音スペース３と第１部屋１１とを組み合わせることによって、平面視矩形状に形成されている。
【００３５】
なお、本実施例において前記吸音スペース３は、前記第１部屋１１を形成する壁の内側に配置されて、この第１部屋１１の一部として設けられることによって、前記第１部屋１１に隣接配置された構成となっている。したがって、前記主出入口１は、前記第１部屋１１を形成する壁に形成されており、前記吸音材２は、前記第１部屋１１の床に立設されるとともに前記主出入口１が形成された壁に対向するようにして配置された袖壁１１ｂの吸音スペース３側壁面に取り付けられている。
【００３６】
また、前記第２部屋１２および第３部屋１３は平面視矩形状に形成されている。
前記第２部屋１２は、その一側辺が前記吸音スペース３と第１部屋１１とに当接するようにして、これら吸音スペース３および第１部屋１１に隣接配置されている。また、この第２部屋１２は、例えばクローゼットとして利用されている。
また、前記第３部屋１３は、その一側辺が前記第１部屋１１に当接するようにして前記第１部屋１１に隣接配置されている。また、この第３部屋１３は、例えば書斎として利用されている。
【００３７】
前記第１部屋１への部屋出入口１１ａである開口部１１ａは、図４中の二点鎖線で示すように、前記主出入口１が形成される壁の該主出入口１付近の部分と前記吸音材２の一側縁部との間に、平面視において前記吸音材２の幅方向に対して所定の角度で傾斜するようにして設けられている。
また、前記第２部屋１２への部屋出入口１２ａである開口部１２ａは、前記第１部屋１１を形成するとともに袖壁１１ｄの端部が当接する壁（間仕切壁１４）に形成されている。つまり、前記主出入口１が形成される壁の該主出入口１付近の部分と前記吸音材２の他側縁部との間に設けられている。なお、この部屋出入口１２ａには、この部屋出入口１２ａである開口部１２ａを開閉する引き戸１２ｂが設けられている。
さらに、これら開口部１１ａ，１２ａは、前記第１部屋１１の床と天井と間に設けられている。
【００３８】
また、前記第１部屋１１と第２部屋１２とは間仕切壁１４によって仕切られており、この間仕切壁１４には、前記第１部屋１１と第２部屋１２とを連通する開口部１４ａが形成されている。
したがって、この開口部１４ａを通じて、前記第１部屋１１に到達する低音域の音を前記第２部屋１２へと逃がすことができる。すなわち、低音域の音は、中高音域の音に比して波長が長く、障害物の裏側に回りこむ性質を備えており、中高音域の音に比べて、前記主出入口１から前記第１部屋１１へと回りこみやすくなっているため、前記間仕切壁１４には、前記第１部屋１１と第２部屋１２とを連通する開口部１４ａが形成されていることで、これを確実に防ぐことができる。
また、この開口部１４ａは、前記第１部屋１１と第２部屋１２との間で空気を流通させる通気孔としても利用することができる。
【００３９】
また、第３部屋１３と前記第１部屋１１とは間仕切壁１５によって仕切られており、この間仕切壁１５には、前記第１部屋１１と第３部屋１３とを連通する開口部１５ａが形成されている。
したがって、この開口部１５ａを通じて、前記第１部屋１１に到達する低音域の音を前記第３部屋１３へと逃がすことができる。
また、前記開口部１５ａも前記開口部１４と同様に、前記第１部屋１１と第３部屋１３との間で空気を流通させる通気孔として利用することができる。
【００４０】
さらに、前記間仕切壁１４，１５を含む前記第１部屋１１を形成する壁のうち、互いに対向する壁の少なくとも一方の壁の部屋側壁面に吸音手段６が設けられている。なお、この吸音手段６も、前記吸音手段２と同様に吸音材が用いられている。
すなわち、前記吸音手段６は、前記主出入口１が形成された壁と、前記袖壁１１ｂの前記吸音スペース３側とは反対の壁面と、この壁面と直交する壁面１１ｃと、この壁面１１ｃと直交する壁面１１ｄと、前記袖壁１１ｂの同一直線上に設けられる袖壁１１ｂの壁面１１ｅとに設けられている。
なお、前記吸音手段６は、前記第１部屋１１に対して、より多く設けてもよいし、より少なく設けてもよい。また、前記第１部屋１１だけでなく、前記第２部屋１２や第３部屋１３にも設けてもよいものとする。
【００４１】
本実施の形態によれば、前記主出入口１に対向し、かつ該主出入口１から所定間隔離間して吸音手段２が配置されており、これら主出入口１と吸音手段２との間が平面視略四角形状の吸音スペース３とされているので、前記主出入口１から吸音スペース３へと入ってくる騒音は、まず、前記主出入口１に対向する前記吸音手段２によって吸音されることになる。
そして、前記吸音スペース３は、この吸音スペースの両側部の双方に形成される開口部１１ａ，１２ａを備えており、この開口部１１ａ，１２ａは、前記吸音スペース３と、該吸音スペース３に隣接配置される部屋空間１０とを連通する部屋出入口１１ａ，１２ａとされていることから、前記吸音スペース３内に入ってくる騒音は、前記吸音スペース３から、より開けた空間である部屋空間１０へと到達することになるので、前記吸音スペース３内で反響しにくくなり、前記吸音スペース３内に入ってくる騒音は確実に弱められることになる。
また、人が前記主出入口１から吸音スペース３を通過して前記部屋空間１０へと進む際は、前記主出入口１に入り、吸音スペース３内で直角に曲がってから部屋空間１０へと進むことになる。したがって、前記部屋空間１０に向かって進む人に対して、前記主出入口１の外部からの騒音が聞こえにくくなる。
これによって、例えば前記主出入口１に防音性能を有するドア等を設けなくても、前記主出入口１からの騒音を確実に抑えることができるので、前記部屋空間１０の静粛性を確保でき、快適な居住環境を形成することが可能となる。
【００４２】
また、前記吸音スペース３の床３ａと天井３ｂとのうち、少なくとも一方に吸音手段４，５が設けられているので、前記吸音スペース３内に入ってくる騒音は、前記吸音手段２とともに前記吸音手段４，５によって吸音されることになる。
【００４３】
また、前記部屋空間１０は、一方の前記部屋出入口１１ａ側に配置される第１部屋１１と、この第１部屋１１に隣接配置されるとともに、他方の前記部屋出入口１２ａ側に配置される第２部屋１２とを備えていることから、前記吸音スペース３内に入ってくる騒音は、前記吸音スペース３から、より開けた空間である第１部屋１１および第２部屋１２へと到達することになるので、前記吸音スペース３内で、より反響しにくくなり、前記吸音スペース３内に入ってくる騒音は、より確実に弱められることになる。
さらに、前記間仕切壁１４には、前記第１部屋１１と第２部屋１２とを連通する開口部１４ａが形成されていることから、この開口部１４ａを通じて、前記第１部屋１１に到達する低音域の音を前記第２部屋１２へと逃がすことができるので、特に前記第１部屋１１における低音域の騒音を軽減することができる。
また、前記開口部１４ａによって、前記第１部屋１１と第２部屋１２との間で空気を流通させることができるので、前記部屋空間１０内における通気性を向上させることができる。
【００４４】
また、前記部屋空間１０は、前記第１部屋１１に隣接配置されるとともに、前記一方の部屋出入口１１ａと対向する部屋出入口１３ａを有する第３部屋１３を備えていることから、前記部屋出入口１１ａから入ってくる騒音は、前記第１部屋１１の空間を介して前記部屋出入口１３ａへと到達することになるので、前記部屋出入口１１ａから入ってくる騒音は、前記第１部屋１１側と第３部屋１３側へと分散し、さらに確実に弱められることになる。
さらに、前記間仕切壁１５には、前記第１部屋１１と第２部屋１３とを連通する開口部１５ａが形成されていることから、この開口部１５ａを通じて、前記第１部屋１１に到達する低音域の音を前記第３部屋１３へと逃がすことができるので、特に前記第１部屋１１における低音域の騒音を、より軽減することができる。なお、この間仕切壁１５には前記部屋出入口１３ａも形成されている。
また、前記開口部１５ａによって、前記第１部屋１１と第３部屋１３との間で空気を流通させることができるので、前記部屋空間１０内における通気性を、より向上させることができる。
【００４５】
また、前記間仕切壁１４，１５を含む前記第１部屋１１を形成する壁のうち、互いに対向する壁の少なくとも一方の壁の部屋側壁面に吸音手段６が設けられているので、前記第１部屋１１内に入ってくる騒音は、前記吸音手段６によって吸音されるとともに、前記第１部屋１１内で反響しにくくなる。
【００４６】
また、前記主出入口１は、前記廊下２０等の屋内空間に臨んで配置されているので、前記廊下２０等の屋内空間で発生する騒音を、前記吸音スペース３で確実に吸音することができ、前記部屋空間１０の静粛性を確保することができる。
【符号の説明】
【００４７】
１  主出入口
２  吸音手段
３  吸音スペース
１０  部屋空間
１１ａ  開口部（部屋出入口）
１２ａ  開口部（部屋出入口）
【図１】
2010265616.tif 000003
【図２】
2010265616.tif 000004
【図３】
2010265616.tif 000005
【図４】
2010265616.tif 000006